(57)【特許請求の範囲】
【請求項１】
第１のレンズを介して入射する被写体の入射光により第１の処理フレームで、第１の映像信号を出力する第１の撮像素子の動作を制御する第１の撮像制御部と、
前記第１の処理フレームで前記第１の映像信号を記録する複数の第１の映像信号記録媒体へのアクセスを制御する第１のアクセス制御部と、
前記第１のレンズから所定の距離だけ離して配置され、第２のレンズを介して入射する被写体の入射光により第２の処理フレームで、第２の映像信号を出力する第２の撮像素子の動作を制御する第２の撮像制御部と、
前記第２の処理フレームで前記第２の映像信号を記録する複数の第２の映像信号記録媒体へのアクセスを制御する第２のアクセス制御部と、
前記第１のアクセス制御部がアクセスする一の前記第１の映像信号記録媒体の残容量が不足すると、一の前記第１の映像信号記録媒体とは異なる他の第１の映像信号記録媒体へアクセスを切替えるタイミングを通知する第１の同期制御部と、
通知された前記タイミングに同期して、前記第２のアクセス制御部がアクセスする一の前記第２の映像信号記録媒体とは異なる他の前記第２の映像信号記録媒体へアクセスを切替えさせる制御を行う第２の同期制御部と、を備える
立体映像撮像システム。
【請求項２】
前記第１のアクセス制御部は、前記第１の映像信号をクリップ単位で前記第１の映像信号記録媒体に記録し、前記第１の映像信号のクリップ名称を前記第２の同期制御部に通知すると共に、前記第２の同期制御部から受け取った前記第２の映像信号のクリップ名称を前記第１の映像信号記録媒体に記録する制御を行い、
前記第２のアクセス制御部は、前記第２の映像信号をクリップ単位で前記第２の映像信号記録媒体に記録し、前記第２の映像信号のクリップ名称を前記第１の同期制御部に通知すると共に、前記第１の同期制御部から受け取った前記第１の映像信号のクリップ名称を前記第２の映像信号記録媒体に記録する制御を行う
請求項１記載の立体映像撮像システム。
【請求項３】
さらに、前記第１の撮像素子が前記第１の処理フレームの間に挿入する第１の垂直同期信号の発生回数を計数する第１の計数部と、
前記第２の撮像素子が前記第２の処理フレームの間に挿入する第２の垂直同期信号の発生回数を計数する第２の計数部と、を備え、
前記第１の同期制御部は、前記第１のアクセス制御部が一の前記第１の映像信号記録媒体から他の前記第１の映像信号記録媒体にアクセスを切替える場合に、前記第２の処理フレームの間に挿入されている垂直同期信号の発生回数と、前記第１の処理フレームの間に挿入されている垂直同期信号の発生回数との差分値を求め、前記第２の処理フレームの間に挿入されている垂直同期信号の発生回数を、前記第１の垂直同期信号の発生回数から前記差分値を引いたカウンタ値に置き換える通知を行い、前記第１の映像信号記録媒体へのアクセスを切替えるタイミングを前記第２のアクセス制御部に通知した時点より所定期間の経過後に、前記第１のアクセス制御部が前記第１の映像信号記録媒体へのアクセスを切替える制御を行い、
前記第２の同期制御部は、前記第１の同期制御部に、前記第２の処理フレームの間に挿入されている垂直同期信号の発生回数を知らせると共に、前記第２の処理フレームの間に挿入されている垂直同期信号の発生回数を前記第１の同期制御部から前記通知を受けた前記カウンタ値に置き換え、置き換えた前記カウンタ値より前記所定期間の経過後に、前記第２のアクセス制御部が一の前記第２の映像信号記録媒体へのアクセスを他の前記第２の映像信号記録媒体に切替える制御を行う
請求項１又は２記載の立体映像撮像システム。
【請求項４】
前記第１及び第２のアクセス制御部は、それぞれ前記第１及び第２の映像信号の一の前記第１及び第２の映像信号記録媒体への書込み途中で他の第１及び第２の映像信号記録媒体にアクセスを切替えた場合に、切替え前後に発生したクリップをまとめたテイク単位で前記第１及び第２の映像信号を記録する制御を行う
請求項３記載の立体映像撮像システム。
【請求項５】
前記第１の計数部は、前記第１の撮像素子が発生させる前記垂直同期信号の発生回数を前記第１の処理フレームのフレーム数として計数し、
前記第１の同期制御部は、前記第１の処理フレームの垂直同期信号と前記第２の処理フレームの垂直同期信号が発生するタイミングを予め合わせ、前記第２の同期制御部が前記第２の処理フレームの間に挿入されている第２の垂直同期信号の発生回数を前記第２の処理フレームのフレーム数として計数する場合に、前記第２の撮像素子が前記第２の垂直同期信号を発生させる度に前記第２の同期制御部から受け取った前記第２の処理フレームのフレーム数と、前記第１の処理フレームのフレーム数との間で算出したフレーム数の差分値が複数のフレーム期間で一定である場合に、前記第１の垂直同期信号の発生回数から前記差分値を引いた値に置き換えたカウンタ値に所定のフレーム数を加えた前記カウンタ値のフレームを、前記第１の同期制御部と前記第２の同期制御部が動作を開始するタイミングとして前記第２の同期制御部に通知する
請求項３又は４に記載の立体映像撮像システム。
【請求項６】
さらに、操作入力により第１の映像信号記録媒体のアクセスを切替える動作を指示する操作部を備え、
前記第１の同期制御部は、前記操作入力による指示を前記第２の同期制御部に通知すると共に、前記操作入力がされた時点より前記所定期間の経過後に通知した前記動作を行い、
前記第２の同期制御部は、前記第１の同期制御部から前記通知を受けた時点より前記所定期間の経過後に、前記第２の映像信号記録媒体のアクセスを切替える
請求項３〜５のいずれか１項に記載の立体映像撮像システム。
【請求項７】
前記第１の同期制御部は、前記第１の処理フレームの期間内に前記第１の処理フレームのフレーム数を前記第２の同期制御部に通知できない場合、又は前記第１の処理フレームの期間内に前記第２の同期制御部から前記第２の処理フレームのフレーム数を受け取ることができない場合に、前記第１の処理フレームに続くフレーム期間にわたって前記第１の処理フレームのフレーム数を前記第２の同期制御部に通知し、又は前記第２の同期制御部から前記第２の処理フレームのフレーム数を受け取る
請求項３〜６のいずれか１項に記載の立体映像撮像システム。
【請求項８】
前記第１の同期制御部は、所定の回数以上にわたって求めた前記差分値とは異なる第２の差分値を前記所定の回数未満にわたって求めた場合に、前記第２の差分値を破棄する
請求項３〜７のいずれか１項に記載の立体映像撮像システム。
【請求項９】
前記操作部の操作入力によって指示される動作には、撮像の開始若しくは停止、又は前記第１及び第２の映像信号記録媒体のアクセス切替えのいずれかが含まれ、前記第１及び第２の処理フレームには、撮像フレーム又は再生フレームのいずれかが含まれる
請求項６に記載の立体映像撮像システム。
【請求項１０】
第１のレンズを介して入射する被写体の入射光により第１の処理フレームで、第１の映像信号を出力する第１の撮像素子の動作を制御するステップと、
第１のアクセス制御部が前記第１の処理フレームで前記第１の映像信号を記録する複数の第１の映像信号記録媒体へのアクセスを制御するステップと、
前記第１のレンズから所定の距離だけ離して配置され、第２のレンズを介して入射する被写体の入射光により第２の処理フレームで、第２の映像信号を出力する第２の撮像素子の動作を制御するステップと、
第２のアクセス制御部が前記第２の処理フレームで前記第２の映像信号を記録する複数の第２の映像信号記録媒体へのアクセスを制御するステップと、
前記第１のアクセス制御部がアクセスする一の前記第１の映像信号記録媒体の残容量が不足すると、一の前記第１の映像信号記録媒体とは異なる他の第１の映像信号記録媒体へアクセスを切替えるタイミングを通知するステップと、
通知された前記タイミングに同期して、前記第２のアクセス制御部がアクセスする一の前記第２の映像信号記録媒体とは異なる他の前記第２の映像信号記録媒体へアクセスを切替えさせる制御を行うステップと、を含む
記録制御方法。
【請求項１１】
第１の処理フレームで第１の映像信号を再生する複数の第１の映像信号記録媒体へのアクセスを制御する第１のアクセス制御部と、
第２の処理フレームで第２の映像信号を再生する複数の第２の映像信号記録媒体へのアクセスを制御する第２のアクセス制御部と、
前記第１のアクセス制御部がアクセスする一の前記第１の映像信号記録媒体から再生される前記第１の映像信号のファイルがなくなると、一の前記第１の映像信号記録媒体とは異なる他の第１の映像信号記録媒体へアクセスを切替えるタイミングを通知する第１の同期制御部と、
通知された前記タイミングに同期して、前記第２のアクセス制御部がアクセスする一の前記第２の映像信号記録媒体とは異なる他の前記第２の映像信号記録媒体へアクセスを切替えさせる制御を行う第２の同期制御部と、を備える
立体映像再生システム。
【請求項１２】
第１のアクセス制御部が第１の処理フレームで第１の映像信号を再生する複数の第１の映像信号記録媒体へのアクセスを制御するステップと、
第２のアクセス制御部が第２の処理フレームで第２の映像信号を再生する複数の第２の映像信号記録媒体へのアクセスを制御するステップと、
前記第１のアクセス制御部がアクセスする一の前記第１の映像信号記録媒体から再生される前記第１の映像信号のファイルがなくなると、一の前記第１の映像信号記録媒体とは異なる他の第１の映像信号記録媒体へアクセスを切替えるタイミングを通知するステップと、
通知された前記タイミングに同期して、前記第２のアクセス制御部がアクセスする一の前記第２の映像信号記録媒体からとは異なる他の前記第２の映像信号記録媒体へアクセスを切替えさせる制御を行うステップと、を含む
再生制御方法。
【発明の詳細な説明】
【技術分野】
【０００１】
本開示は、例えば、２台のカメラが撮像した映像から立体映像（３Ｄ映像）を生成する場合に適用して好適な立体映像撮像システム、記録制御方法、立体映像再生システム及び再生制御方法に関する。
【背景技術】
【０００２】
従来、ユーザの左右の目の視差に合わせて設置される２台のカメラが撮像した同一の被写体の映像を用いて、ユーザが立体視することができる立体映像（３Ｄ映像）を生成する技術がある。立体映像を撮像するためには、２台のカメラが行う、映像記録の開始若しくは停止、又は映像再生の開始若しくは停止（以下、「処理の開始又は停止」と呼ぶ。）の動作を合わせる必要があった。
【０００３】
カメラは、１回の記録開始から停止までに生成した映像信号が記録される映像ファイルを「クリップ」という単位で管理しており、記録媒体からクリップ毎に映像ファイルを書き込み又は読み出すことが可能である。３Ｄ撮影をしているＬ側／Ｒ側のいずれかのカメラに対してスロット切り替えボタンを押したり、あるいは記録媒体の容量が満杯になると、カメラが自動的に切替えたスロットに挿入されている別の記録媒体に替えたりして映像の記録や再生を継続していた。
【０００４】
特許文献１には、複数の記録媒体に画像信号を記録するスチルカメラに関する技術について開示されている。
【先行技術文献】
【特許文献】
【０００５】
【特許文献１】特開平７−２３１４２０号公報
【発明の概要】
【発明が解決しようとする課題】
【０００６】
ところで、従来の立体映像撮像システムでは、２台のカメラ間で互いの動作を同期して制御する連携機能を有していなかった。このため、ユーザが２台のカメラに対してそれぞれ操作入力を行っても、操作入力のタイミングがずれることにより、２台のカメラが同時に処理の開始又は停止を行うことはできず、複数のスロットに装着された記録媒体を同時に切り替えることが難しかった。そして、３Ｄ映像を撮影中に左映像又は右映像のいずれかの容量が満杯になって一方のスロットが切り替えられても、他方のスロットが切り替わらないことにより、左映像と右映像のクリップが異なる長さで記録される場合があった。
【０００７】
ここで、２台のカメラで行われる処理の開始又は停止のタイミングは、カメラ毎に撮像し、又は再生する映像信号の処理フレームが厳密に合っていなければ、立体視して再生される映像に違和感が生じ、立体映像として不完全となる。従来は、撮像した後に、２台のカメラが生成したそれぞれのクリップファイルに付されるタイムコード等を用いて別途処理フレームの開始又は停止タイミングを合わせる作業が必要であった。しかし、左右映像のクリップの長さが異なると、左右映像を同期して編集を行ったり、再生したりする際に、左右映像の開始タイミングを厳密に合わせ直す作業が必要となり、手間がかかっていた。
【０００８】
また、特許文献１には、単体のカメラが複数の記録媒体に画像信号を連続記録することが記載されているに過ぎず、立体映像を撮像するために２台のカメラを用いた場合に、映像の記録又は再生を厳密に制御することは考慮されていない。
【０００９】
本開示はこのような状況に鑑みて成されたものであり、立体映像の撮像又は再生する途中で記録媒体を切替えた場合に、記録媒体の切替えタイミングを正確に合わせることを目的とする。
【課題を解決するための手段】
【００１０】
本開示は、始めに、第１のレンズを介して入射する被写体の入射光により第１の処理フレームで、第１の映像信号を出力する第１の撮像素子の動作を制御する。次に、第１のアクセス制御部が第１の処理フレームで第１の映像信号を記録する複数の第１の映像信号記録媒体へのアクセスを制御する。
一方、第１のレンズから所定の距離だけ離して配置され、第２のレンズを介して入射する被写体の入射光により第２の処理フレームで、第２の映像信号を出力する第２の撮像素子の動作を制御する。このとき、第２のアクセス制御部が第２の処理フレームで第２の映像信号を記録する複数の第２の映像信号記録媒体へのアクセスを制御する。
第１のアクセス制御部がアクセスする一の第１の映像信号記録媒体の残容量が不足すると、一の第１の映像信号記録媒体とは異なる他の第１の映像信号記録媒体へアクセスを切替えるタイミングを通知する。
そして、通知されたタイミングに同期して、第２のアクセス制御部がアクセスする一の第２の映像信号記録媒体とは異なる他の第２の映像信号記録媒体へアクセスを切替えさせる制御を行うものである。
【００１１】
また、本開示は、始めに、第１のアクセス制御部が第１の処理フレームで第１の映像信号を再生する複数の第１の映像信号記録媒体へのアクセスを制御する。次に、第２のアクセス制御部が第２の処理フレームで第２の映像信号を再生する複数の第２の映像信号記録媒体へのアクセスを制御する。
第１のアクセス制御部がアクセスする一の第１の映像信号記録媒体から再生される第１の映像信号のファイルがなくなると、一の第１の映像信号記録媒体とは異なる他の第１の映像信号記録媒体へアクセスを切替えるタイミングを通知する。
そして、通知されたタイミングに同期して、第２のアクセス制御部がアクセスする一の第２の映像信号記録媒体とは異なる他の第２の映像信号記録媒体へアクセスを切替えさせる制御を行うものである。
【００１２】
このようにしたことで、所定期間の経過後に指示された動作を開始するタイミングで左右映像がそれぞれ記録される記録媒体へのアクセスを切替える処理を同期して行うことが可能となった。
【発明の効果】
【００１３】
本開示によれば、立体映像の撮影又は再生の処理を行う場合に、第１の同期制御部は、第２の同期制御部が所定期間の経過後に第２の映像信号記録媒体へのアクセスを切替えるタイミングを第２の同期制御部に通知する。このため、第１及び第２の同期制御部は、同じタイミングで記録媒体へのアクセスを切替えることができ、記録媒体のアクセス切替えの精度を高めると共に、左右映像の記録時には、クリップの長さを同一とすることができる。
【図面の簡単な説明】
【００１４】
【図１】本開示の一実施の形態における立体映像撮像システムの外部構成例を示す外観図である。
【図２】本開示の一実施の形態における立体映像撮像システムの内部構成例を示すブロック図である。
【図３】本開示の一実施の形態における第１のカメラ及び第２のカメラが互いにスロット切替えのタイミングを制御する例を示すタイムチャートである。
【図４】本開示の一実施の形態における第１のカメラ及び第２のカメラが用いる記録媒体に記録されるクリップファイルの構成例を示す説明図である。
【図５】本開示の一実施の形態における第１のカメラ及び第２のカメラが用いる記録媒体に記録されるクリップファイルの編集時の動作例を示す説明図である。
【図６】本開示の一実施の形態におけるスロットを切替えて変化する記録媒体の記録容量の例を示す説明図である。
【図７】本開示の一実施の形態における第１のカメラの処理例を示すフローチャートである。
【図８】本開示の一実施の形態における第１の同期制御部が行うカメラ制御部のインタフェースの処理例を示すフローチャートである。
【図９】本開示の一実施の形態における第１の同期制御部が行うユーザインタフェース制御部のインタフェースの処理例を示すフローチャートである。
【図１０】本開示の一実施の形態における第１の同期制御部が行う送受信制御部のインタフェースの処理例を示すフローチャートである。
【図１１】本開示の一実施の形態における立体映像撮像カメラの変形例を示す外観図である。
【発明を実施するための形態】
【００１５】
以下、発明を実施するための形態（以下、実施の形態とする。）について説明する。なお、説明は以下の順序で行う。
１．一実施の形態（２台のカメラの同期制御：立体映像撮像システムの例）
２．変形例
【００１６】
＜１．一実施の形態＞
［２台のカメラの同期制御の例］
【００１７】
以下、本開示の一実施の形態（以下、「本例」という。）について、添付図面を参照して説明する。本実施の形態では、２台のカメラを用いて左右映像の映像信号をそれぞれ記録する記録媒体の切替えタイミングを同期して立体映像を撮像する立体映像撮像システム１０に適用した例について説明する。なお、立体映像撮像システム１０は、立体映像の再生を行う立体映像再生システムとして用いられる場合があり、プログラムを実行することにより、内部ブロックが連携して行う記録制御方法及び再生制御方法を実現することができる。
【００１８】
図１は、立体映像撮像システム１０の外部構成例を示す。
立体映像撮像システム１０は、同一のフレーム数で同一の画サイズの２次元映像を撮像する撮像装置として第１のカメラ１及び第２のカメラ２を備える。第１のカメラ１は、左映像を撮像し、左映像信号である第１の映像信号を生成し、第２のカメラ２は、右映像を撮像し、右映像信号である第２の映像信号を生成する。第１のカメラ１及び第２のカメラ２は、共通するライン端子を備える。そして、第１のカメラ１及び第２のカメラ２は、このライン端子に接続され、シリアル通信が可能な同期制御ライン３によって、互いに映像の記録又は再生等の処理をフレーム単位で同期する制御命令が含まれる同期制御信号を通信パケットに入れて送受信する。
【００１９】
また、第１のカメラ１及び第２のカメラ２は、ユーザがそれぞれ操作入力により各部に動作を指示する操作部１１を備える。操作部１１には、例えば、カメラ本体にある操作スイッチ（録画ボタン、再生ボタン等）や不図示のリモートコントローラ、プッシュボタン、トグルスイッチ、タッチパネルディスプレイ等が用いられる。操作部１１は、ユーザの操作入力により第１の映像信号記録媒体２２Ｌから第１の映像信号記録媒体２３Ｌのアクセスを切替える動作を指示するために用いられる。本例では、第１のカメラ１を主とし、第２のカメラ２を従とする主従関係による制御が行われ、第１のカメラ１の指示により、第１のカメラ１の処理フレームに合わせて、第２のカメラ２の処理フレームの同期が制御される。
【００２０】
また、立体映像撮像システム１０は、第１のカメラ１及び第２のカメラ２から入力した映像信号を３Ｄの立体映像信号に変換する信号変換装置４を備える。信号変換装置４は、２Ｄ又は３Ｄで映像を表示することが可能な表示装置５に２Ｄ又は３Ｄの映像信号を出力する。
【００２１】
信号変換装置４は、第１のカメラ１及び第２のカメラ２からＥＥ（Electric to Electric Mode）映像信号又はＰｌａｙ映像信号を受け取る。ＥＥ映像信号とは、第１のカメラ１及び第２のカメラ２が撮像した２Ｄの映像信号をそのまま２Ｄの平面映像として表示することを表示装置５に指示する信号である。すなわち、第１のカメラ１及び第２のカメラ２が出力した映像信号を、ＨＤＤ等の記録部を経由することなく、表示装置５に対する出力として直接取り出される信号である。Ｐｌａｙ映像信号とは、第１のカメラ１及び第２のカメラ２が再生した２Ｄの映像信号を３Ｄの立体映像として表示することを表示装置５に指示する信号である。
【００２２】
そして、信号変換装置４は、第１のカメラ１及び第２のカメラ２から入力した２Ｄの映像信号を３Ｄの映像信号として１つにまとめた通信パケットを表示装置５に出力する。そして、表示装置５が２Ｄの映像を表示する２Ｄ表示モードに設定されている場合には、第１のカメラ１及び第２のカメラ２から入力する映像信号を選択し、左右映像のうちどちらかを選択した映像を２Ｄの平面映像として表示する。一方、表示装置５が立体映像を表示する３Ｄ表示モードに設定されている場合には、３Ｄの立体映像として表示する。
【００２３】
第１のカメラ１及び第２のカメラ２は、立体映像の撮像時に設置台（ＲＩＧ）６に設置される。一般に、第１のカメラ１及び第２のカメラ２のズームの倍率を共に同じ値とし、レンズの間隔を人間の目に合わせて第１のカメラ１及び第２のカメラ２を配置する。このとき撮像した２Ｄ映像を合わせた立体映像は自然な立体物としてユーザが視認できることが知られている。
【００２４】
しかし、筐体が大きな第１のカメラ１及び第２のカメラ２を水平方向に並べると人間の目の幅より広い視差で被写体を撮像してしまい、ユーザが視認する立体映像に違和感が生じてしまう。例えば、視差が狭くても第１のカメラ１及び第２のカメラ２に近い場所の被写体を立体視できる映像を撮像することが可能である。しかし、視差が広くなるほど違和感なく立体視できる映像を撮像するためには、第１のカメラ１及び第２のカメラ２と被写体の距離を長くする必要がある。このため、ハーフミラー７を備えた設置台６に第１のカメラ１及び第２のカメラ２を設置する。このとき、被写体の像光がハーフミラー７を介して直接入力する位置に第１のカメラ１を配置し、被写体の像光がハーフミラー７に反射して入力する位置に第２のカメラ２を配置する。このように、第１のカメラ１及び第２のカメラ２が備えるレンズの光軸が垂直に交わる位置に、第１のカメラ１及び第２のカメラ２が設置される。
【００２５】
図２は、立体映像撮像システム１０の内部構成例を示す。
第１のカメラ１と第２のカメラ２は、大部分が同じ機能ブロックを有する。このため、以下の説明では、第１のカメラ１の機能ブロックについて、符号に“Ｌ”を付けて説明し、第１のカメラ１の機能ブロックに対応する第２のカメラ２の機能ブロックについて、符号に“Ｒ”を付けて適宜説明を加える。以下の説明では、第１のカメラ１の処理を説明するため、第１のカメラ１を「自機」と呼び、第２のカメラ２を「他機」と呼ぶ場合がある。
【００２６】
第１のカメラ１は、操作部１１からの操作入力を受け付けるユーザインタフェース制御部１２と、撮像動作を制御する第１の撮像制御部１３Ｌと、ＲＡＭ１４を備える。ユーザインタフェース制御部１２は、操作部１１がタッチパネルディスプレイである場合には、グラフィカルユーザインターフェース（ＧＵＩ：Graphical User Interface）を画面上に表示する。また、不図示の記録部に記録された映像の再生を制御する再生制御部１５と、映像を記録部に記録する際の制御を行う記録制御部１６を備える。また、撮像動作や映像の再生又は記録を第２のカメラ２の処理と同期して行うように第２のカメラ２の動作を制御する第１の同期制御部１７Ｌを備える。また、各種のカウンタ値を記録するＲＡＭ１８と、同期制御ライン３を伝送する通信パケットの送受信を制御する送受信制御部１９を備える。
【００２７】
また、第１のカメラ１は、再生制御部１５による左映像の再生指示、又は記録制御部１６による左映像の記録指示を受ける第１のアクセス制御部２１Ｌを備える。第１のアクセス制御部２１Ｌは、第１の処理フレームで第１の映像信号を記録する複数の第１の映像信号記録媒体２２Ｌ，２３Ｌへのデータの読み書き等のアクセスを制御したり、第１の映像信号記録媒体２２Ｌ，２３Ｌの状態監視を行ったりする。そして、第１のアクセス制御部２１Ｌは、第１の映像信号記録媒体２２Ｌ，２３Ｌのいずれかに順にアクセスし、左映像の映像信号の再生又は記録を行う。第１の映像信号記録媒体２２Ｌ，２３Ｌは、２つのスロット（第１及び第２のスロット）に挿入され、第１の映像信号の記録又は再生がスロット毎に行われる。一方、第２のカメラ２が備える第２のアクセス制御部２１Ｒは、第２の処理フレームで第２の映像信号を記録する複数の第２の映像信号記録媒体２２Ｒ，２３Ｒへのアクセスを制御したり、第２の映像信号記録媒体２２Ｒ，２３Ｒの状態監視を行ったりする。
【００２８】
第１のアクセス制御部２１Ｌは、第１の映像信号記録媒体２２Ｌ，２３Ｌをサイクリックに使用してアクセス処理を行う。例えば、第１の映像信号の記録時に第１スロットに挿入される第１の映像信号記録媒体２２Ｌの記録容量が満杯になると、第２スロットに挿入される第１の映像信号記録媒体２３Ｌに自動的にアクセスを切替えて第１の映像信号の続きを記録する。そして、第２のカメラ２についても、第１のカメラ１と同じ機能を有する第２のアクセス制御部２１Ｒと２種類のスロットを備える。各スロットに差し込まれる第２の映像信号記録媒体２２Ｒ，２３Ｒには、右映像の映像信号が記録される。そして、第２のカメラ２が備える第２のアクセス制御部２１Ｒについても、第２の映像信号記録媒体２２Ｒ，２３Ｒをサイクリックに使用して、第２の映像信号としての右映像の映像信号の再生又は記録を行う。なお、以下の説明では、第１の映像信号記録媒体２２Ｌ，２３Ｌ、第２の映像信号記録媒体２２Ｒ，２３Ｒを「記録媒体」と略称する場合がある。
【００２９】
ユーザインタフェース制御部１２は、操作部１１が備える不図示のボタンによる操作入力の受付処理、不図示のリモートコントローラから受け取る操作入力の受付処理、無線ＬＡＮ等のリモートによる操作入力の受付処理を行う。また、タッチパネル等のグラフィカルユーザインターフェースから入力された操作入力による指示等を処理し、各種のメニューやメッセージをタッチパネルディスプレイ等に表示する処理を行う。さらに、ユーザインタフェース制御部１２は、操作部１１から受け付けた操作入力による指示を第１の同期制御部１７Ｌに通知する。
【００３０】
第１の撮像制御部１３Ｌは、第１のレンズを介して入射する被写体の入射光により第１の処理フレームの間に挿入されている垂直同期信号毎に第１の処理フレームで、第１の映像信号を出力する第１の撮像素子の動作を制御する。なお、第２のカメラ２は、第２のレンズ及び第２の撮像素子の動作を制御する第２の撮像制御部１３Ｒを有する。第１及び第２の撮像素子には、例えば、ＣＭＯＳ（Complementary Metal Oxide Semiconductor）イメージセンサ等が用いられる。第２の撮像制御部１３Ｒは、第１のレンズから所定の距離だけ離して配置され、第２のレンズを介して入射する被写体の入射光により第２の処理フレームで、第２の映像信号を出力する第２の撮像素子の動作を制御する。ここで、第１の撮像制御部１３Ｌは、例えば、第１の撮像素子、映像処理プロセッサ、第１のレンズ等が含まれる光学系駆動部の駆動を制御する。また、第１の撮像制御部１３Ｌは、第１の撮像素子が出力する映像信号を画素単位で補正したり、光学系駆動部に対してオートフォーカス処理やオートホワイトバランス処理等の制御を行ったりする。
【００３１】
ＲＡＭ１４には、第１の撮像制御部１３Ｌから得たフレーム毎の垂直同期信号が発生した数を計数する第１の垂直同期信号カウンタ２０Ｌにより、処理フレームのフレーム数として用いられる垂直同期信号カウンタ値が書き込まれる。第１の垂直同期信号カウンタ２０Ｌは、第１の撮像素子が第１の処理フレームの間に挿入する垂直同期信号の発生回数を第１の処理フレームのフレーム数として計数する第１の計数部として用いられる。そして、第１の垂直同期信号カウンタ２０Ｌは、撮像時に第１の撮像制御部１３Ｌが制御する第１の撮像素子から割り込まれる垂直同期信号の数を計数しており、ＲＡＭ１４は、第１の垂直同期信号カウンタ２０Ｌによって書き込まれた垂直同期信号の数を記録する。一方、第２のカメラ２が備える第２の垂直同期信号カウンタ２０Ｒは、第２の撮像素子が第２の処理フレームの間に挿入する第２の垂直同期信号の発生回数を計数する第２の計数部として用いられ、ＲＡＭ１４に第２の垂直同期信号の発生回数を記録させる。
【００３２】
再生制御部１５は、第１のアクセス制御部２１Ｌを介して、第１の映像信号記録媒体２２Ｌ、第１の映像信号記録媒体２３Ｌに対するクリップファイルの書込み、読出し等のアクセス処理、クリップ情報の処理やクリップファイルのデコード処理の制御等を行う。記録制御部１６は、第１の映像信号記録媒体２２Ｌ、第１の映像信号記録媒体２３Ｌに対するアクセス処理、クリップファイルの生成処理、削除されたクリップファイルを復元するサルベージ処理や映像信号のエンコード処理の制御等を行う。
【００３３】
第１の同期制御部１７Ｌは、第１のアクセス制御部２１Ｌがアクセスする一の第１の映像信号記録媒体の残容量が不足すると、一の第１の映像信号記録媒体とは異なる他の第１の映像信号記録媒体へアクセスを切替えるタイミングを通知する。本例では、第１の映像信号記録媒体２２Ｌの残容量が不足すると第１の映像信号記録媒体２３Ｌにアクセスを切替える。そして、第２の同期制御部１７Ｒは、通知されたタイミングに同期して、第２のアクセス制御部２１Ｒがアクセスする一の第２の映像信号記録媒体とは異なる他の第２の映像信号記録媒体へアクセスを切替えさせる制御を行う。本例では、第２の映像信号記録媒体２２Ｒから第２の映像信号記録媒体２３Ｒにアクセスを切替える。なお、第２のスロットに差し込まれている第１の映像信号記録媒体２３Ｌの残容量が不足した場合には、第１の映像信号記録媒体２２Ｌに切替える処理が行われる。このとき、第２のカメラ２では、第２の映像信号記録媒体２３Ｒから第２の映像信号記録媒体２２Ｒにアクセスが切替えられる。
【００３４】
より詳細に説明すると、第１の同期制御部１７Ｌは、第１のアクセス制御部２１Ｌが第１の映像信号記録媒体２２Ｌから第１の映像信号記録媒体２３Ｌにアクセスを切替える場合に以下の処理を行う。すなわち、第２の処理フレームの間に挿入されている垂直同期信号の発生回数と、第１の処理フレームの間に挿入されている垂直同期信号の発生回数との差分値により第２の処理フレームの間に挿入されている垂直同期信号の発生回数を算出する。そして、第２の処理フレームの間に挿入されている垂直同期信号の発生回数に基づいて、以下の制御を行う。すなわち、第１の映像信号記録媒体２３Ｌへのアクセスを切替えるタイミングを第２のアクセス制御部２１Ｒに通知した時点より所定期間の経過後に、第１のアクセス制御部２１Ｌが第１の映像信号記録媒体２３Ｌへのアクセスを切替える制御を行う。一方、第２の同期制御部１７Ｒは、第１の同期制御部１７Ｌに、第２の処理フレームの間に挿入されている垂直同期信号の発生回数を知らせる。併せて、第１の同期制御部１７Ｌから通知を受けた時点より所定期間の経過後に、第２のアクセス制御部２１Ｒが第２の映像信号記録媒体２２Ｒへのアクセスを第２の映像信号記録媒体２３Ｒに切替える制御を行う。
【００３５】
また、第１の同期制御部１７Ｌは、第１の処理フレームの垂直同期信号と第２の処理フレームの垂直同期信号が発生するタイミングを予め合わせておく。ここで、第２の同期制御部１７Ｒが第２の処理フレームの間に挿入されている垂直同期信号の発生回数を第２の処理フレームのフレーム数として計数する。このとき、第２の撮像素子が垂直同期信号を発生させる度に第２のカメラ２から受け取った第２の処理フレームのフレーム数と、第１の処理フレームのフレーム数との間で算出したフレーム数の差分値が複数のフレーム期間で一定であるか求める。そして、差分値が複数のフレーム期間で一定である場合には、算出した第２の処理フレームのフレーム数に複数のフレーム期間を加えたフレーム数を第２のカメラ２が動作を開始するタイミングとして第２のカメラ２に通知する。このような制御により、第１のカメラ１は、第２のカメラ２が指示される動作を開始するタイミングを制御する。
【００３６】
また、第１の同期制御部１７Ｌは、操作部１１の操作入力による指示を第２の同期制御部１７Ｒに通知すると共に、操作入力がされた時点より所定期間の経過後に通知した動作を行う。そして、第２の同期制御部１７Ｒは、第１の同期制御部１７Ｌから通知を受けた時点より所定期間の経過後に、第２の映像信号記録媒体２２Ｒから第２の映像信号記録媒体２３Ｒのアクセスを切替える。なお、操作部１１の操作入力によって「指示される動作」には、撮像の開始若しくは停止又は映像再生の開始若しくは停止のいずれかが含まれ、第１及び第２の処理フレームには、撮像フレーム又は再生フレームのいずれかが含まれる。
【００３７】
このように第１の同期制御部１７Ｌは、第１のカメラ１及び第２のカメラ２の間における垂直同期信号のカウンタ値の差分を求めたり、動作指示のタイミングを第２のカメラ２と同期して行わせたりする制御を行う。なお、第１の同期制御部１７Ｌが行う処理の詳細については後述する図７〜図１０のフローチャートに示す。
【００３８】
第１の同期制御部１７Ｌは、第１の撮像制御部１３Ｌに対してデータを送受信するインタフェースを持っており、送受信制御部１９に対する送受信制御部インタフェース処理を行う。この処理は、送受信制御部１９に対するインタフェースを担当するモジュールによって行われる。ＲＡＭ１８は、第１のカメラ１及び第２のカメラ２が互いに受け取った垂直同期信号のカウンタ値、第１のカメラ１が行う動作指示や動作指示の開始のトリガとなる垂直同期信号のカウンタ値等を記録する。
【００３９】
送受信制御部１９は、通信パケットの送信受付処理、通信パケットを第２のカメラ２に送る処理、通信パケットを規定の通信プロトコルに合わせて変換する処理、ライン端子等を含む通信デバイスの制御処理等を行う。第１の同期制御部１７Ｌは、処理の開始又は停止のタイミングを同期するために実行する処理フレームの開始タイミング（本例では、垂直同期信号カウンタ値の発生回数に基づく。）を計算する。そして、送受信制御部１９が第２のカメラ２に行う動作を指示する制御データと処理フレーム数を第２のカメラ２に送ることを依頼する。
【００４０】
第１のカメラ１は、第２のカメラ２に対してゲンロックを行うことによって、第１のカメラ１及び第２のカメラ２の撮像時における処理フレームの開始タイミングを事前に同期する。この同期は、垂直同期信号の発生タイミングで行われており、この同期タイミングのズレ量は約１ライン程度の時間内に収まるよう第１の同期制御部１７Ｌが制御する。
【００４１】
ゲンロックにより処理フレームの開始タイミングが同期された第１のカメラ１及び第２のカメラ２は、各カメラで動作するソフトウェアプログラムがそれぞれ計数した垂直同期信号カウンタ値の差分値を検出することにより、制御時のフレーム精度を確保する。主となる第１のカメラ１がユーザによるスロット切り替えの操作指示を受け付けると、第１のカメラ１は、従となる第２のカメラ２に対して１〜数フレーム後のタイミングに同時にスロットを切替えて動作するように指示を行う。
【００４２】
ここで、垂直同期信号は処理フレームが開始するタイミングで現れており、第１のカメラ１の第１の同期制御部１７Ｌは、この差分値によって第２のカメラ２が動作する処理フレームのフレーム数を把握する。主となる第１のカメラ１は、第１の映像信号記録媒体２２Ｌの残容量が不足し、第１スロットから第２スロットへの切替えが必要となった場合、又はユーザの操作入力によるスロット切替えの動作指示を受け取ると、以下の動作を行う。すなわち、１〜数フレーム後のタイミングで、第１のカメラ１と同時にスロット切替えを行うように第２のカメラ２の動作を制御する。このようにして、第１のカメラ１は、第２のカメラ２の処理のタイミングを第１のカメラ１の処理のタイミングであるフレーム毎に合わせる同期制御を行っている。
【００４３】
カメラ間で伝送される通信パケットは、コマンドの種類を示す“Ｋフィールド（４バイト）”と、データ長を示す（４バイト）“Ｌフィールド”と、データの内容を示す“Ｖフィールド（最大６４バイト）”で構成される。Ｋフィールドには、同期を指示するデータが格納され、Ｖフィールドには、自機が行うスロット切替えの開始を示すデータ内容が格納される。例えば、Ｋフィールドに垂直同期信号カウンタ値の通知を示すデータが含まれると、Ｖフィールドには、自機の垂直同期信号カウンタ値が含まれる。また、Ｋフィールドにクリップファイルのフォーマットを通知する情報が含まれると、Ｖフィールドには、映像の画サイズ、フレームレート、ビットレートを示す情報が含まれる。
【００４４】
ソフトウェアプログラムによって制御される第１のカメラ１及び第２のカメラ２は、同期制御ライン３を介して通信パケットを送受信することで、互いにフレーム毎にタイミングを合わせて処理を行うことが可能となる。このため、同じタイミングで撮像された映像の記録を開始し又は停止する動作をフレーム毎に合わせて同時に行ったり、同一フォーマットのコンテンツをフレーム毎に合わせて同時に再生し又は停止したりする処理が可能となる。このため、カメラ間あるいは１台のカメラでも同期制御部が分かれている場合には、各同期制御部が非同期通信をすることによって、同期カウンタの差分を検出し、それによって記録媒体切り替えをフレーム精度で制御を行うことができる
【００４５】
なお、第１のカメラ１及び第２のカメラ２は、映像を同期して再生する再生装置としても用いられる。この場合、同期制御ライン３で接続される他の再生装置として第２のカメラ２が用いられる。このとき、第１のアクセス制御部２１Ｌは、第１の処理フレームで第１の映像信号を再生する複数の第１の映像信号記録媒体へのアクセスを制御する。一方、第２のアクセス制御部２１Ｒは、第２の処理フレームで第２の映像信号を再生する複数の第２の映像信号記録媒体へのアクセスを制御する。そして、第１のアクセス制御部２１Ｌがアクセスする第１の映像信号記録媒体２２Ｌから再生される第１の映像信号のファイルがなくなると、第１の映像信号記録媒体２２Ｌとは異なる第１の映像信号記録媒体２３Ｌへアクセスを切替えるタイミングを通知する。第２の同期制御部１７Ｒは、通知されたタイミングに同期して、第２のアクセス制御部２１Ｒがアクセスする第２の映像信号記録媒体２２Ｒとは異なる第２の映像信号記録媒体２３Ｒへアクセスを切替えさせる制御を行う。
【００４６】
操作部１１の操作入力によって指示される動作には、撮像の開始若しくは停止、又は第１及び第２の映像信号記録媒体のアクセス切替えのいずれかが含まれる。また、第１及び第２の処理フレームには、撮像フレーム又は再生フレームのいずれかが含まれる。
【００４７】
図３は、第１のカメラ１によって第２のカメラ２の動作タイミングが制御される例を示すタイミングチャートである。図３Ａは、第１のカメラ１及び第２のカメラ２の同期を制御していない状態におけるタイミングチャートの例を示す。
第１のカメラ１及び第２のカメラ２は、それぞれ異なるタイミングで発生した垂直同期信号を開始のタイミングを合わせるために利用し、隣り合う垂直同期信号の期間内で定まる処理フレームに基づいて撮像又は再生の処理を行う。第１のカメラ１及び第２のカメラ２は、同じフレームレートの処理フレームで動作するが、例えば、ユーザが各カメラの操作部１１を操作して電源をオンしたタイミングは厳密に合わせることが困難であり、処理フレームが立ち上がるタイミングが異なる。このため、従来のように処理フレームが開始したタイミングが異なったまま被写体を撮像すると、撮像後に左右映像のフレームのタイミングを合わせる作業が必要であった。
【００４８】
図３Ｂは、第１のカメラ１の処理フレームに基づいてゲンロックされた第２のカメラ２の処理フレームの例を示す。
本例では、第１のカメラ１の処理フレームの開始タイミングに第２のカメラ２の処理フレームの開始タイミングを合わせる制御を行っており、第１のカメラ１の垂直同期信号を処理フレームの開始タイミングを合わせる同期信号として用いている。そして、第２のカメラ２は、同期制御ライン３を介して第１のカメラ１から伝送される同期制御信号により処理フレームのゲンロックを行う。なお、第１のカメラ１及び第２のカメラ２は同じ構成としたカメラであるので、第２のカメラ２の処理フレームを同期信号として利用して第１のカメラ１の処理フレームをゲンロックすることも可能である。
【００４９】
ここで、第１のカメラ１及び第２のカメラ２の処理フレームの開始タイミングを合わせる処理について説明する。
始めに、第１のカメラ１は、処理フレームの最初のタイミングとして垂直同期信号が発生した瞬間に、計数した垂直同期信号カウンタ値を、同期制御ライン３を経由して第２のカメラ２に通知する。この垂直同期信号カウンタ値は、処理フレームのカウンタ値カウンタ値として用いられる
【００５０】
同様に、第２のカメラ２は、処理フレームの最初のタイミングとして垂直同期信号が発生した瞬間に、計数した垂直同期信号カウンタ値を、同期制御ライン３を経由して第１のカメラ１に通知する。図３Ｂでは、説明の便宜のため、第１のカメラ１の垂直同期信号カウンタ値をｎ，ｎ＋１，…と数え、第２のカメラ２の垂直同期信号カウンタ値をｍ，ｍ＋１，…と数える。
【００５１】
第１のカメラ１及び第２のカメラ２は、互いに１フレームの期間内に垂直同期信号カウンタ値を通知し合う。この動作は、数フレームにわたって行われる。そして、第１のカメラ１の第１の同期制御部１７Ｌは、第１のカメラ１の垂直同期信号カウンタ値から、数フレームにわたって取得した第２のカメラ２の垂直同期信号カウンタ値を減じた差分値Δを求める。本例では、差分値Δ＝ｎ−ｍとして値が求まり、複数フレームにわたって求めた差分値Δが連続して同じ値である場合に、差分値Δが平均値として求まる。
【００５２】
ここで、第２のカメラ２の（ｍ＋３）フレーム目のように、（ｍ＋３）フレームのカウンタ値が、第１のカメラ１の同じ（ｍ＋３）フレーム内で通知されず、次の（ｍ＋４）フレームで通知される場合がある。例えば、第１の同期制御部１７Ｌは、第１の処理フレームの期間内に第１の処理フレームのフレーム数を第２の同期制御部１７Ｒに通知できない場合がある。または、第１の同期制御部１７Ｌが第１の処理フレームの期間内に第２の同期制御部１７Ｒから第２の処理フレームのフレーム数を受け取ることができない場合がある。このとき、第１の同期制御部１７Ｌは、第１の処理フレームに続くフレーム期間にわたって第１の処理フレームのフレーム数を第２の同期制御部１７Ｒに通知する。あるいは、第１の同期制御部１７Ｌは、第２の同期制御部１７Ｒから第２の処理フレームのフレーム数を受け取る。これにより、第１の同期制御部１７Ｌ及び第２の同期制御部１７Ｒは、互いに確実に処理フレームのフレーム数を通知することができる。
【００５３】
図３Ｂに示すように、第１の同期制御部１７Ｌは、所定の回数以上にわたって求めた同じ差分値Δとは異なる第２の差分値Δ′を所定の回数未満にわたって求めた場合に、第２の差分値Δ′を破棄する。図３Ｂの例では、第２の差分値Δ′は、Δ′＝（ｎ＋４）−（ｍ＋３）＝ｎ−ｍ＋１として求められ、突発的に平均値から外れた第２の差分値Δ′については破棄される。このようにして、第１のカメラ１の第１の同期制御部１７Ｌは、第１のカメラ１の処理フレームに対して第２のカメラ２の処理フレームがどれだけずれているかを差分値Δによって把握できる。
【００５４】
図３Ｃは、第１のカメラ１及び第２のカメラ２が実際にスロット切替えを行うタイミングの例を示す。
図３Ｂに示したように、第１のカメラ１の第１の同期制御部１７Ｌは、差分値Δを把握している。ここで、図３Ｃでは、説明の便宜のため、第１のカメラ１の処理フレームをｘ，ｘ＋１，…と数え、第２のカメラ２の処理フレームをｙ，ｙ＋１，…と数える。
【００５５】
そして、第１の同期制御部１７Ｌは、（ｘ＋５）フレーム目からスロット切替えを行う場合に、第２のカメラ２に対して、（ｘ＋５−Δ）フレームのカウンタ値を、（ｙ＋５）フレームのカウンタ値に上書きする指示を行う。このとき、第２のカメラ２の第１の同期制御部１７Ｌは、（ｙ＋５）フレームのカウンタ値を（ｘ＋５−Δ）フレームのカウンタ値に書き換える。これにより、第１のカメラ１及び第２のカメラ２は、同じフレームのカウンタ値として図中に星印で示される同じタイミングでスロット切替えを行うことができる。
【００５６】
図４は、第１のカメラ１及び第２のカメラ２が用いる記録媒体に記録されるクリップファイルの構成例を示す。
第１のカメラ１及び第２のカメラ２がそれぞれ備える第１及び第２スロットには、第１の映像信号記録媒体２２Ｌ，２３Ｌと第１の映像信号記録媒体２２Ｒ，２３Ｒが挿入されている状態とする。
【００５７】
第１のアクセス制御部２１Ｌは、第１の映像信号をクリップ単位で第１の映像信号記録媒体２２Ｌ，２３Ｌに記録し、第１の映像信号のクリップ名称を第２の同期制御部１７Ｒに通知する。併せて、第２の同期制御部１７Ｒから受け取った第２の映像信号のクリップ名称を第１の映像信号記録媒体２２Ｌ，２３Ｌに記録する制御を行う。一方、第２のアクセス制御部２１Ｒは、第２の映像信号をクリップ単位で第２の映像信号記録媒体２２Ｒ，２３Ｒに記録し、第２の映像信号のクリップ名称を第１の同期制御部１７Ｌに通知する。併せて、第１の同期制御部１７Ｌから受け取った第１の映像信号のクリップ名称を第２の映像信号記録媒体２２Ｒ，２３Ｒに記録する制御を行う。
【００５８】
具体的には、以下のように第１のアクセス制御部２１Ｌと第２のアクセス制御部２１Ｒが互いの記録媒体に付されたクリップ名称を共有する。
第１のカメラ１及び第２のカメラ２は、始めに第１スロットに挿入されている第１の映像信号記録媒体２２Ｌを用いて映像信号の記録を開始する。このとき、第１のカメラ１の第１スロットに差し込まれた記録媒体に190_0001L_01という名称のクリップが作成される。同様に、第２のカメラ２の第１スロットに差し込まれた記録媒体に190_0001R_01という名称のクリップが作成される。
【００５９】
第１のカメラ１及び第２のカメラ２が３Ｄ映像を撮影し、それぞれの映像信号記録媒体に映像信号を記録する時には、各クリップに３Ｄ映像としてペアになるクリップの情報（「pairwith:○○」の部分）が書き込まれる。そして、各カメラは、３Ｄ映像の記録を継続したまま第１スロットから第２スロットに切り替える操作を行う。このとき、第２のカメラ２の第２スロット差し込まれた記録媒体に190_0001L_02という名称のクリップが作成される。同様に、第１のカメラ１の第２スロットに差し込まれた記録媒体に190_0001R_02という名称のクリップが作成される。
【００６０】
図５は、第１のカメラ１及び第２のカメラ２が用いる記録媒体に記録されるクリップファイルの編集時の動作例を示す。
第１のアクセス制御部２１Ｌは、第１の映像信号の第１の映像信号記録媒体２２Ｌへの書込み途中で第１の映像信号記録媒体２３Ｌにアクセスを切替えた場合に、切替え前後に発生したクリップをまとめたテイク単位で第１の映像信号を記録する制御を行う。また、第２のアクセス制御部２１Ｒは、第２の映像信号の第２の映像信号記録媒体２２Ｒへの書込み途中で第２の映像信号記録媒体２３Ｒにアクセスを切替えた場合に、切替え前後に発生したクリップをまとめたテイク単位で第２の映像信号を記録する制御を行う。
【００６１】
このようにスロット切り替えが発生し、１回の記録動作で複数のクリップが作成されると、記録媒体のフォーマット上、作成された複数のクリップはまとめて１つのテイクとして扱われる。３Ｄ映像の記録に伴って作成されたテイクについても、３Ｄ映像としてペアとなるテイクの情報を持っており、ペアとなるテイクの情報を利用して左右映像のテイクを組み合わせ、３Ｄの映像信号が含まれる３Ｄ映像データとして扱うことができる。
【００６２】
図６は、スロットを切替えて変化する記録媒体の記録容量の例を示す。
第１のカメラ１及び第２のカメラ２がそれぞれ備える第１及び第２スロットには、第１の映像信号記録媒体２２Ｌ，２３Ｌと第１の映像信号記録媒体２２Ｒ，２３Ｒが挿入されている状態とする。
【００６３】
記録中に第１のカメラ１の第１スロットに挿入されている第１の映像信号記録媒体２２Ｌの残容量が無くなる場合がある。このとき、第２のカメラ２の第１スロットに挿入されている第１の映像信号記録媒体２２Ｌの残容量があっても、同時に第１及び第２スロットの切り替えが行われる。切り替え後に、第１の映像信号記録媒体２３Ｌに190_0001L_02という名称のクリップが作成され、第２の映像信号記録媒体２３Ｒに190_0001R_02という名称のクリップが作成され、各クリップには、ペアにあるクリップの情報が書き込まれる。このように、第１の映像信号記録媒体２２Ｌの残容量がなくなると、自動的にスロットが切替えられ、第１の映像信号記録媒体２３Ｌにクリップが作成される。また、第１のカメラ１における映像信号記録媒体の切替えに合わせて、第２のカメラ２における映像信号記録媒体が切り替わる。このため、第１の映像信号記録媒体２２Ｌ，２２Ｒの残容量が異なっていても、第１の映像信号記録媒体２３Ｌ，２３Ｒの残容量が同じであれば、同じ長さのクリップが作成される。
【００６４】
次に、立体映像撮像システム１０の処理例として、特に第１の同期制御部１７Ｌの処理例を図７〜図１０を参照して説明する。なお、本例では、第１のカメラ１を主として用いるため、第１の同期制御部１７Ｌについて説明するが、第２のカメラ２を主として用いた場合であっても、第２のカメラ２は、以下に説明する第１の同期制御部１７Ｌと同様の処理を行うことが可能である。
【００６５】
図７は、第１のカメラ１の処理例を示す。
始めに、第１のカメラ１及び第２のカメラ２のライン端子に同期制御ライン３が接続されると、ユーザによって行われる不図示のメニュー画面を用いた操作部１１の操作入力により、同期制御ラインモードがオンされる（ステップＳ１）。同期制御ラインモードがオンされると、第１のカメラ１を主、第２のカメラ２を従とする主従関係の下、第１のカメラ１及び第２のカメラ２の間で映像の撮像処理又は映像の再生処理をカメラ毎の処理フレームで同期して行うことが可能となる。一方、同期制御ラインモードがオフされると、各カメラは独立して動作するため、互いに影響を与えない。
【００６６】
次に、第１のカメラ１及び第２のカメラ２は、同期制御ライン３を介し、互いに垂直同期信号カウンタ値をシリアル通信により通知し合う（ステップＳ２）。このとき、第１のカメラ１の第１の同期制御部１７Ｌは、自機の垂直同期信号カウンタ値と第２のカメラ２から受け取った垂直同期信号カウンタ値の差分を検出する。そして、第１のカメラ１は、同じ差分値がＮフレーム連続したら差分値を確定する（本例では、５フレーム）（ステップＳ３）。
【００６７】
次に、第１のカメラ１が操作部１１に受けた入力操作に伴い発生した操作信号によりスロット切替えの指示を受ける。本例では、「処理の開始又は停止の指示」として、「スロット切替えの指示」を受けるものとする。この指示により、第１のカメラ１は、第２のカメラ２に指示するために要する通信時間を考慮して、数フレーム後における処理フレームのカウンタ値を指定して、第２のカメラ２に動作の指示を送る（ステップＳ４）。図３に示したタイミングチャートでは、５フレーム後に実行することが示される。
【００６８】
このようにして、第１のカメラ１及び第２のカメラ２は、同じタイミングで発生した垂直同期信号のタイミングに合わせて、同じフレームのタイミングでスロットを切替え、アクセスする記録媒体を替える（ステップＳ５）。
【００６９】
次に、図８〜図１０を参照して、第１の同期制御部１７Ｌが行う各部に対するインタフェースの処理例を説明する。以下の説明では、第１の同期制御部１７Ｌが各制御部との間でデータの入出力を行う処理を「インタフェースの処理」と呼ぶ。
【００７０】
図８は、第１の同期制御部１７Ｌが行う第１の撮像制御部１３Ｌのインタフェースの処理例を示す。
始めに、第１の同期制御部１７Ｌは、第１の撮像素子が発生する垂直同期信号の割り込みを待つ（ステップＳ１１）。垂直同期信号の割り込みが発生すると、第１の垂直同期信号カウンタ２０ＬがＲＡＭ１４に垂直同期信号カウンタ値を書き込む。そして、第１の同期制御部１７Ｌは、垂直同期信号カウンタをＲＡＭ１４から取得する（ステップＳ１２）。
【００７１】
垂直同期信号カウンタ値は、第１のカメラ１を電源オンした後、第１の垂直同期信号カウンタ２０Ｌによって“０”から“２５５”まで繰り返しカウントアップされる。なお、第１の垂直同期信号カウンタ２０Ｌが計数を開始した時点における垂直同期信号カウンタ値はランダムな値をとる。また、第１のカメラ１及び第２のカメラ２の同期が安定していれば、差分値Δは固定値であり、その都度、動作を開始する時点における垂直同期信号カウンタ値の絶対値を計算している。このため、垂直同期信号カウンタ値そのものを“０”にリセットする必要がない。
【００７２】
次に、第１の同期制御部１７Ｌは、ＲＡＭ１４から読み出した垂直同期信号カウンタ値を第２のカメラ２に送信する（ステップＳ１３）。垂直同期信号カウンタ値を送信する処理は、第１の撮像制御部１３Ｌのインタフェースを処理するモジュールが行う。そして、第１の同期制御部１７Ｌが送受信制御部１９へ送信を依頼することによって送信処理が行われる。
【００７３】
次に、第１の同期制御部１７Ｌは、自機の垂直同期信号カウンタ値が、第２のカメラ２が動作を開始する時点における垂直同期信号カウンタ値と等しいか否かを判断する（ステップＳ１４）。等しい場合に第１の同期制御部１７Ｌは、再生制御部１５又は記録制御部１６に対して映像の再生指示又は記録指示を行う（ステップＳ１５）。異なる場合に第１の同期制御部１７Ｌは、何も処理を行わず、処理を終了する。
【００７４】
図９は、第１の同期制御部１７Ｌが行うユーザインタフェース制御部１２のインタフェースの処理例を示す。
始めに、第１の同期制御部１７Ｌは、ユーザの操作入力により発生する操作信号からなる動作指示を待つ（ステップＳ２１）。ただし、ユーザからの動作指示は、処理フレームのどのタイミングで来るかが不定である。このため、第１の同期制御部１７Ｌは動作指示を受けた後、垂直同期信号が発生するタイミングである処理フレームの先頭から指示された動作を開始できるように、第２のカメラ２との間で垂直同期信号が同じタイミングで発生するようにゲンロックを行っている。
【００７５】
また、第１のカメラ１は、第２のカメラ２に対して操作信号を送ることにより、操作部１１によって操作入力された動作指示を通知する。ただし、第２のカメラ２に操作信号が到着するタイミングは定かでなく、実際にどのタイミングで動作が行われるか不明である。そこで、第１のカメラ１及び第２のカメラ２は、互いに第１の垂直同期信号カウンタ２０Ｌと第２の垂直同期信号カウンタ２０Ｒが計数する垂直同期信号カウンタ値から差分値Δを予め求めている。これにより、差分値Δを考慮した上で第１のカメラ１及び第２のカメラ２が同期して動作を開始することが可能な垂直同期信号カウンタ値を計算している。
【００７６】
次に、第１のカメラ１の第１の同期制御部１７Ｌは、第２のカメラ２から受け取った垂直同期信号カウンタ値によって確定した差分値Δから、第２のカメラ２が動作を開始する時点における垂直同期信号カウンタ値を計算する（ステップＳ２２）。また、第１のカメラ１の第１の同期制御部１７Ｌは、ステップＳ２２の処理と並行して、第１のカメラ１が動作を開始する時点における垂直同期信号カウンタ値を計算する（ステップＳ２３）。
【００７７】
ステップＳ２１の次工程において、ステップＳ２３に分岐した破線は、第１のカメラ１が従となった場合に実行さえる処理を意味する。この処理は、操作部１１から受け取る動作指示のパラメータが自機のカウンタ値なのか、他機のカウンタ値なのかによって実行する処理が変わるためである。そして、第１の同期制御部１７Ｌは、動作指示が行われる操作信号や動作を開始する時点における垂直同期信号カウンタ値を第２のカメラ２へ送信し（ステップＳ２４）、処理を終了する。
【００７８】
図１０は、第１の同期制御部１７Ｌが行う送受信制御部１９のインタフェースの処理例を示す。
始めに、第１のカメラ１の第１の同期制御部１７Ｌは、送受信制御部１９から受け取る垂直同期信号カウンタ値の受信を待つ（ステップＳ３１）。第２のカメラ２から垂直同期信号カウンタ値が受信されなければ処理を終了する。
【００７９】
一方、送受信制御部１９が第２のカメラ２から垂直同期信号カウンタ値を受信すると（ステップＳ３２）、送受信制御部１９は、ＲＡＭ１８に垂直同期信号カウンタ値を書き込む。その後、第１の同期制御部１７Ｌは、ＲＡＭ１８から垂直同期信号カウンタを取得する（ステップＳ３３）。そして、第１の同期制御部１７Ｌは、ＲＡＭ１４から読み出した自機の垂直同期信号カウンタ値とＲＡＭ１８から読み出した第２のカメラ２の垂直同期信号カウンタ値の差分値Δを計算する（ステップＳ３４）。
【００８０】
第１の同期制御部１７Ｌは、１フレームごとに差分値Δを計算しており、最新の差分値Δは、ステップＳ３４にて計算される。以下の説明において、第１の同期制御部１７Ｌが１フレーム前に計算した差分は、１フレーム前の垂直同期信号カウンタ値によって求まる値であるため、「前回差分」と呼び、ステップＳ３４にて計算した差分値Δを「今回差分」と呼ぶ。そして、第１の同期制御部１７Ｌは、今回差分が前回差分に等しいか否かを判断する（ステップＳ３５）。そして、第１の同期制御部１７Ｌは、差分値Δが複数回にわたって一定値であるか否かを判断するため、ＲＡＭ１４には、今回差分と前回差分が等しかった場合にこの回数を加算する差分確定カウンタ値を書き込む（ステップＳ３６）。
【００８１】
そして、第１の同期制御部１７Ｌは、差分値Δが差分確定カウンタ値を増加することのできる値であるか、第２の差分値Δ′に相当する異常値であるかを判断する（ステップＳ３７）。異常値である場合には処理を行わない。一方、差分値Δが差分確定カウンタ値を増加することのできる値であれば、次処理のステップＳ３８により、前回差分を確定差分に上書きする処理が行われる。
【００８２】
本例では、垂直同期信号カウンタ値の差分値Δを確定するために、差分確定カウンタ値を用いている。例えば、上述した図３Ｃに示したように、同期制御ライン３を伝送される通信パケットが遅延した場合には、今回差分と前回差分が異なる場合がある。このような場合に今回差分として求めた差分値Δを破棄できるようにするため、Ｎ回（本例では、５回）連続して今回差分と前回差分が同じ値とならない場合、正しい差分値Δと見なさない制御を行う。
【００８３】
ここで、第１の同期制御部１７Ｌは、差分値Δが変わった際に、変わった差分値Δを一旦「前回差分」としてＲＡＭ１４に書き込んでおく。その後、同じ差分値Δが求められると、ＲＡＭ１４内の差分確定カウンタ値を１増やす。さらに、連続して今回差分と前回差分が同じ値となる場合には、その度に差分確定カウンタ値を増やし続ける。このようにして、Ｎフレームにわたって今回差分と前回差分が同じ値となる場合に、上述した差分値Δで表される「確定した差分値」が求まる（ステップＳ３８）。さらに、Ｎ回連続して今回差分と前回差分が同じ値となる場合には、差分確定カウンタ値である“Ｎ”の値を差分確定カウンタ値に上書きして処理を終了する（ステップＳ３９）。なお、“Ｎ”の値は、今回差分と前回差分が同じ値となる度に増えていく。
【００８４】
ステップＳ３５の処理において、前回差分が今回差分と異なる場合には、ＲＡＭ１４に書き込まれている前回差分を今回差分で更新した上で（ステップＳ４０）、差分確定カウンタ値を初期値“１”に書き換える（ステップＳ４１）。その後、ステップＳ３１〜Ｓ３９の処理を繰り返して、今回差分で示した値が確定差分Δとなるか求める。
【００８５】
なお、第１のカメラ１が従として設定され、第２のカメラ２が主として設定される場合がある。このとき、第１のカメラ１の送受信制御部１９は、第２のカメラ２から操作信号を受け取り、第１のカメラ１の第１の同期制御部１７Ｌは、第２のカメラ２によって指示される動作を解釈する（ステップＳ４２）。さらに、第１のカメラ１の送受信制御部１９は、第２のカメラ２から動作を開始する時点における垂直同期信号カウンタ値を受信し（ステップＳ４３）、この垂直同期信号カウンタ値を第１のカメラ１のＲＡＭ１８に書き込む。そして、ステップＳ４３の処理に並行して、第１のカメラ１の第１の同期制御部１７Ｌは、確定した差分値から自機の動作を開始する時点における垂直同期信号カウンタ値を計算し（ステップＳ４４）、第２のカメラ２によって制御された動作を行う。
【００８６】
以上説明した一実施の形態に係る立体映像撮像システム１０によれば、主従関係を有する第１のカメラ１及び第２のカメラ２を用いて、互いに垂直同期信号の発生タイミングを合わせた上で、垂直同期信号カウンタ値の差分値Δを求めている。そして、この差分値Δを考慮した上で、第１のカメラ１及び第２のカメラ２は、同じタイミングで記録媒体切り替えが可能となる。このため、記録媒体の切り替わりに伴うクリップ分割のタイミングが記録媒体ごとに違うことを考慮して編集する必要がなくなる。それにより切替えられた第１のカメラ１と第２のカメラ２の記録媒体に作成された各クリップの長さは１：１の同じ長さとなり、同じ撮影タイミングであることが保証される。そして、クリップの作成開始のタイミングがフレーム単位で同じであるため、３Ｄ映像の再生や編集時における左右映像のフレームの時間合わせが容易になる。
【００８７】
このとき、実際にスロット切り替えが行われるフレーム数を定めて、このフレーム数に至った時点で第１及び第２のスロットに対するスロット切り替えを２台のカメラが同時に行うことができる。このとき、ユーザは、例えば、主となる第１のカメラ１の操作部１１に対して操作入力を行うだけで、第２のカメラ２は第１のカメラ１と同じ動作をする。これにより、２台のカメラのスロット切り替えを処理フレームの開始タイミングに合わせて厳密に制御することができる。
【００８８】
また、処理フレームの開始タイミングを映像信号の垂直同期信号の発生タイミングに合わせたことにより、処理フレーム毎の動作を正確に合わせることができる。このため、被写体を撮像した後、処理フレームを合わせ込む作業が不要となり、編集作業が効率化する。また、映像の再生時においても２台のカメラで同期して再生動作を行わせることができ、処理フレームのずれによる立体映像の違和感をなくすことができる。
【００８９】
また、差分値Δは、所定の回数以上にわたって求めており、値の信頼性が高い。このため、差分値Δを用いて処理フレームの合わせ込みを容易に行うことが可能である。また、ユーザにとっては第１のカメラ１の操作を行えば自動的に第２のカメラ２が同期して動作するため、スロット切り替えのタイミングを合わせることを意識しなくてもよい。
【００９０】
また、異常値として求めた第２の差分値Δ′は破棄されるため、第２の差分値Δ′による同期制御への影響が及ばない。この点からも第１のカメラ１及び第２のカメラ２の同期制御の信頼性を高めることができる。
【００９１】
＜２．変形例＞
また、上述した実施の形態では、第１のカメラ１及び第２のカメラ２を上下方向に設置した例を説明したが、第１のカメラ１及び第２のカメラ２の筐体を小型化することにより、水平方向に並べて設置してもよい。
【００９２】
また、同期制御ライン３は、送受信制御部１９に接続される有線ケーブルとして用いた例を説明したが、送受信制御部１９を無線の通信規格に対応したアダプタとすることにより、通信パケットを無線伝送するようにしてもよい。
【００９３】
また、上述した実施の形態では、第１のカメラ１及び第２のカメラ２を備える立体映像撮像システム１０（図１参照）に適用した例を説明したが、二眼式の１台のカメラについても、スロット切替えのタイミングを合わせる同期制御を行ってもよい。また、第２の同期制御部１７Ｒが第１のアクセス制御部２１Ｌを従とし、第２のアクセス制御部２１Ｒを主とする主従関係を定めてもよい。また、右映像信号を第１の映像信号とし、左映像信号を第２の映像信号として撮像してもよい。
【００９４】
図１１は、立体映像撮像カメラ３０の外部構成例を示す。
立体映像撮像カメラ３０は、立体映像撮像システム１０と同様に、信号変換装置４を介して表示装置５に２Ｄ又は３Ｄの映像を表示することができる。また、立体映像撮像カメラ３０は、図示しないものの２つのレンズを備える二眼式のカメラであり、１台で立体映像を撮像することが可能である。そして、立体映像撮像カメラ３０は、立体映像撮像システム１０における第１のカメラ１及び第２のカメラ２の内部ブロックを備えている。このように、第１のカメラ１と第２のカメラ２に相当する左映像と右映像を撮影する撮影システムが１台のカメラの中に入っている場合でも、上述したスロット切替え方法により、フレーム精度を保証しながらスロット切り替えが可能となる。このように、本例の記録又は再生制御方法は、複数台のカメラを用いた撮像システムに限らず、左右映像を同時に撮影する１台のカメラにも適用が可能である。
【００９５】
また、上述した実施の形態例における一連の処理は、ハードウェアにより実行することができるが、ソフトウェアにより実行させることもできる。一連の処理をソフトウェアにより実行させる場合には、そのソフトウェアを構成するプログラムが専用のハードウェアに組み込まれているコンピュータ、または、各種の機能を実行するためのプログラムをインストールしたコンピュータにより、実行可能である。例えば汎用のパーソナルコンピュータなどに所望のソフトウェアを構成するプログラムをインストールして実行させればよい。
【００９６】
また、上述した実施の形態の機能を実現するソフトウェアのプログラムコードを記録した記録媒体を、システムあるいは装置に供給してもよい。また、そのシステムあるいは装置のコンピュータ（またはＣＰＵ等の制御装置）が記録媒体に格納されたプログラムコードを読み出し実行することによっても、機能が実現されることは言うまでもない。
【００９７】
この場合のプログラムコードを供給するための記録媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００９８】
また、コンピュータが読み出したプログラムコードを実行することにより、上述した実施の形態の機能が実現される。加えて、そのプログラムコードの指示に基づき、コンピュータ上で稼動しているＯＳなどが実際の処理の一部又は全部を行う。その処理によって上述した実施の形態の機能が実現される場合も含まれる。
【００９９】
また、本開示は上述した実施の形態に限られるものではなく、特許請求の範囲に記載した本開示の要旨を逸脱しない限りその他種々の応用例、変形例を取り得ることは勿論である。
【０１００】
なお、本開示は以下のような構成も取ることができる。
（１）第１のレンズを介して入射する被写体の入射光により第１の処理フレームで、第１の映像信号を出力する第１の撮像素子の動作を制御する第１の撮像制御部と、
前記第１の処理フレームで前記第１の映像信号を記録する複数の第１の映像信号記録媒体へのアクセスを制御する第１のアクセス制御部と、
前記第１のレンズから所定の距離だけ離して配置され、第２のレンズを介して入射する被写体の入射光により第２の処理フレームで、第２の映像信号を出力する第２の撮像素子の動作を制御する第２の撮像制御部と、
前記第２の処理フレームで前記第２の映像信号を記録する複数の第２の映像信号記録媒体へのアクセスを制御する第２のアクセス制御部と、
前記第１のアクセス制御部がアクセスする一の前記第１の映像信号記録媒体の残容量が不足すると、一の前記第１の映像信号記録媒体とは異なる他の第１の映像信号記録媒体へアクセスを切替えるタイミングを通知する第１の同期制御部と、
通知された前記タイミングに同期して、前記第２のアクセス制御部がアクセスする一の前記第２の映像信号記録媒体とは異なる他の前記第２の映像信号記録媒体へアクセスを切替えさせる制御を行う第２の同期制御部と、を備える
立体映像撮像システム。
（２）前記第１のアクセス制御部は、前記第１の映像信号をクリップ単位で前記第１の映像信号記録媒体に記録し、前記第１の映像信号のクリップ名称を前記第２の同期制御部に通知すると共に、前記第２の同期制御部から受け取った前記第２の映像信号のクリップ名称を前記第１の映像信号記録媒体に記録する制御を行い、
前記第２のアクセス制御部は、前記第２の映像信号をクリップ単位で前記第２の映像信号記録媒体に記録し、前記第２の映像信号のクリップ名称を前記第１の同期制御部に通知すると共に、前記第１の同期制御部から受け取った前記第１の映像信号のクリップ名称を前記第２の映像信号記録媒体に記録する制御を行う
前記（１）記載の立体映像撮像システム。
（３）さらに、前記第１の撮像素子が前記第１の処理フレームの間に挿入する第１の垂直同期信号の発生回数を計数する第１の計数部と、
前記第２の撮像素子が前記第２の処理フレームの間に挿入する第２の垂直同期信号の発生回数を計数する第２の計数部と、を備え、
前記第１の同期制御部は、前記第１のアクセス制御部が一の前記第１の映像信号記録媒体から他の前記第１の映像信号記録媒体にアクセスを切替える場合に、前記第２の処理フレームの間に挿入されている垂直同期信号の発生回数と、前記第１の処理フレームの間に挿入されている垂直同期信号の発生回数との差分値により前記第２の処理フレームの間に挿入されている垂直同期信号の発生回数を算出し、前記第２の処理フレームの間に挿入されている垂直同期信号の発生回数に基づいて、前記第１の映像信号記録媒体へのアクセスを切替えるタイミングを前記第２のアクセス制御部に通知した時点より所定期間の経過後に、前記第１のアクセス制御部が前記第１の映像信号記録媒体へのアクセスを切替える制御を行い、
前記第２の同期制御部は、前記第１の同期制御部に、前記第２の処理フレームの間に挿入されている垂直同期信号の発生回数を知らせると共に、前記第１の同期制御部から前記通知を受けた時点より前記所定期間の経過後に、前記第２のアクセス制御部が一の前記第２の映像信号記録媒体へのアクセスを他の前記第２の映像信号記録媒体に切替える制御を行う
前記（１）又は（２）記載の立体映像撮像システム。
（４）前記第１及び第２のアクセス制御部は、それぞれ前記第１及び第２の映像信号の一の前記第１及び第２の映像信号記録媒体への書込み途中で他の第１及び第２の映像信号記録媒体にアクセスを切替えた場合に、切替え前後に発生したクリップをまとめたテイク単位で前記第１及び第２の映像信号を記録する制御を行う
前記（３）記載の立体映像撮像システム。
（５）前記第１の計数部は、前記第１の撮像素子が発生させる前記垂直同期信号の発生回数を前記第１の処理フレームのフレーム数として計数し、
前記第１の同期制御部は、前記第１の処理フレームの垂直同期信号と前記第２の処理フレームの垂直同期信号が発生するタイミングを予め合わせ、前記第２の同期制御部が前記第２の処理フレームの間に挿入されている第２の垂直同期信号の発生回数を前記第２の処理フレームのフレーム数として計数する場合に、前記第２の撮像素子が前記第２の垂直同期信号を発生させる度に前記第２の同期制御部から受け取った前記第２の処理フレームのフレーム数と、前記第１の処理フレームのフレーム数との間で算出したフレーム数の差分値が複数のフレーム期間で一定である場合に算出した前記第２の処理フレームのフレーム数に前記複数のフレーム期間を加えたフレーム数を前記第２の同期制御部が動作を開始するタイミングとして前記第２の同期制御部に通知する
前記（１）〜（４）のいずれかに記載の立体映像撮像システム。
（６）さらに、操作入力により第１の映像信号記録媒体のアクセスを切替える動作を指示する操作部を備え、
前記第１の同期制御部は、前記操作入力による指示を前記第２の同期制御部に通知すると共に、前記操作入力がされた時点より前記所定期間の経過後に通知した前記動作を行い、
前記第２の同期制御部は、前記第１の同期制御部から前記通知を受けた時点より前記所定期間の経過後に、前記第２の映像信号記録媒体のアクセスを切替える
前記（１）〜（５）のいずれかに記載の立体映像撮像システム。
（７）前記第１の同期制御部は、前記第１の処理フレームの期間内に前記第１の処理フレームのフレーム数を前記第２の同期制御部に通知できない場合、又は前記第１の処理フレームの期間内に前記第２の同期制御部から前記第２の処理フレームのフレーム数を受け取ることができない場合に、前記第１の処理フレームに続くフレーム期間にわたって前記第１の処理フレームのフレーム数を前記第２の同期制御部に通知し、又は前記第２の同期制御部から前記第２の処理フレームのフレーム数を受け取る
前記（１）〜（６）のいずれかに記載の立体映像撮像システム。
（８）前記制御部は、所定の回数以上にわたって求めた前記差分値とは異なる第２の差分値を前記所定の回数未満にわたって求めた場合に、前記第２の差分値を破棄する
前記（１）〜（７）のいずれかに記載の立体映像撮像システム。
（９）前記操作部の操作入力によって指示される動作には、撮像の開始若しくは停止、又は前記第１及び第２の映像信号記録媒体のアクセス切替えのいずれかが含まれ、前記第１及び第２の処理フレームには、撮像フレーム又は再生フレームのいずれかが含まれる
前記（１）〜（８）のいずれかに記載の立体映像撮像システム。
（１０）第１のレンズを介して入射する被写体の入射光により第１の処理フレームで、第１の映像信号を出力する第１の撮像素子の動作を制御するステップと、
第１のアクセス制御部が前記第１の処理フレームで前記第１の映像信号を記録する複数の第１の映像信号記録媒体へのアクセスを制御するステップと、
前記第１のレンズから所定の距離だけ離して配置され、第２のレンズを介して入射する被写体の入射光により第２の処理フレームで、第２の映像信号を出力する第２の撮像素子の動作を制御するステップと、
第２のアクセス制御部が前記第２の処理フレームで前記第２の映像信号を記録する複数の第２の映像信号記録媒体へのアクセスを制御するステップと、
前記第１のアクセス制御部がアクセスする一の前記第１の映像信号記録媒体の残容量が不足すると、一の前記第１の映像信号記録媒体とは異なる他の第１の映像信号記録媒体へアクセスを切替えるタイミングを通知するステップと、
通知された前記タイミングに同期して、前記第２のアクセス制御部がアクセスする一の前記第２の映像信号記録媒体とは異なる他の前記第２の映像信号記録媒体へアクセスを切替えさせる制御を行うステップと、を含む
記録制御方法。
（１１）第１の処理フレームで第１の映像信号を再生する複数の第１の映像信号記録媒体へのアクセスを制御する第１のアクセス制御部と、
第２の処理フレームで第２の映像信号を再生する複数の第２の映像信号記録媒体へのアクセスを制御する第２のアクセス制御部と、
前記第１のアクセス制御部がアクセスする一の前記第１の映像信号記録媒体から再生される前記第１の映像信号のファイルがなくなると、一の前記第１の映像信号記録媒体とは異なる他の第１の映像信号記録媒体へアクセスを切替えるタイミングを通知する第１の同期制御部と、
通知された前記タイミングに同期して、前記第２のアクセス制御部がアクセスする一の前記第２の映像信号記録媒体とは異なる他の前記第２の映像信号記録媒体へアクセスを切替えさせる制御を行う第２の同期制御部と、を備える
立体映像再生システム。
（１２）第１のアクセス制御部が第１の処理フレームで第１の映像信号を再生する複数の第１の映像信号記録媒体へのアクセスを制御するステップと、
第２のアクセス制御部が第２の処理フレームで第２の映像信号を再生する複数の第２の映像信号記録媒体へのアクセスを制御するステップと、
前記第１のアクセス制御部がアクセスする一の前記第１の映像信号記録媒体から再生される前記第１の映像信号のファイルがなくなると、一の前記第１の映像信号記録媒体とは異なる他の第１の映像信号記録媒体へアクセスを切替えるタイミングを通知するステップと、
通知された前記タイミングに同期して、前記第２のアクセス制御部がアクセスする一の前記第２の映像信号記録媒体からとは異なる他の前記第２の映像信号記録媒体へアクセスを切替えさせる制御を行うステップと、を含む
再生制御方法。
【符号の説明】
【０１０１】
１…第１のカメラ、２…第２のカメラ、３…同期制御ライン、４…信号変換装置、５…表示装置、６…設置台、７…ハーフミラー、１０…立体映像撮像システム、１１…操作部、１２…ユーザインタフェース制御部、１３Ｌ…第１の撮像制御部、１３Ｒ…第２の撮像制御部、１４…ＲＡＭ、１５…再生制御部、１６…記録制御部、１７Ｌ…第１の同期制御部、１７Ｒ…第２の同期制御部、１８…ＲＡＭ、１９…送受信制御部、２０Ｌ…第１の垂直同期信号カウンタ、２０Ｒ…第２の垂直同期信号カウンタ、２１Ｌ…第１のアクセス制御部、２１Ｒ…第２のアクセス制御部、２２Ｌ…第１の映像信号記録媒体、２２Ｒ…第２の映像信号記録媒体、２３Ｌ…第１の映像信号記録媒体、２３Ｒ…第２の映像信号記録媒体、３０…立体映像撮像カメラ
【図１】
0005927795.tif 000002
【図２】
0005927795.tif 000003
【図４】
0005927795.tif 000004
【図５】
0005927795.tif 000005
【図６】
0005927795.tif 000006
【図７】
0005927795.tif 000007
【図８】
0005927795.tif 000008
【図９】
0005927795.tif 000009
【図１０】
0005927795.tif 000010
【図１１】
0005927795.tif 000011
【図３】
0005927795.tif 000012